(57)【要約】      （修正有）【課題】部品点数の増加を抑えながら、複数種類の幅寸法を有する転写テープを適用することができる転写具セットを提供する。【解決手段】転写具セットＳは、複数のリフィル、例えば小幅リフィル３ａ、中幅リフィル３ｂ、大幅リフィル３ｃを用意しておき、共通の転写具本体２に前記リフィルのいずれかを選択的に装着し得るようにしたものである。しかしてこの転写具セットＳにより構成される転写具としては、共通の転写具本体２に小幅リフィル３ａを装着した第一の転写具１ａと、中幅リフィル３ｂを装着した第二の転写具１ｂと、大幅リフィル３ｃを装着した第三の転写具１ｃとが挙げられる。【選択図】図１
2014061680.tif 000002
【特許請求の範囲】
【請求項１】
転写テープの繰出し及び巻取りを行うための対をなすリールをリフィル本体に支持させてなるリフィルと、このリフィル及び前記リールと異なった幅寸法を有する他のリールを備えた他のリフィルのいずれかを内部に選択的に収容可能なケースを備えた転写具本体とを具備してなり、
前記各リールが、前記リフィル本体の支軸に支持されるホイル部と、このホイル部の外周に連続させて設けられ外周に転写テープが巻装される胴部とを備えたものであり、前記リフィル本体が、少なくとも各リールに対応する部位が扁平なリフィルベースと、このリフィルベースの一面から前記各リールのホイル部に向けて突設された対をなす隆起部とを備えたものであり、前記各隆起部の先端面で対応する各リールのホイル部をそれぞれガイドしていることを特徴とする転写具。
【請求項２】
繰出用のリールから巻取用のリールに向かう前記転写テープを案内する転写ヘッドを備えてなる転写具であって、
前記転写テープの幅方向中央が前記転写ヘッドの中央を通過し得るように、前記各リールが前記転写ヘッドに対して位置付けられている請求項１記載の転写具。
【請求項３】
前記各リールにおける胴部の一部が、前記各隆起部の外周囲に被さるように配されている請求項１又は２記載の転写具。
【請求項４】
前記各隆起部における各リールの胴部に被われていない露出部分の露出幅寸法に対応した幅寸法を有する余白空間が、前記各リールの両側にそれぞれ形成されている請求項１、２又は３記載の転写具。
【請求項５】
請求項１又は２記載の転写具に用いられるリフィルであって、前記各リールが、ホイル部の外周に胴部を、該胴部のリフィルベース側の端面が前記ホイル部のリフィルベース側の側面に略面一となるように設けたものであるリフィル。
【請求項６】
請求項１、２又は３記載の転写具に用いられるリフィルであって、前記各リールが、ホイル部の外周に胴部を、該胴部のリフィルベース側の端部が前記ホイル部のリフィルベース側の側面よりもリフィルベース方向に延出させて設けたものであり、その延出寸法が、前記隆起部の突出寸法よりも小さな値に設定されているリフィル。
【請求項７】
リフィルベースに、繰出用のリールから巻取用のリールに向かう転写テープを案内する転写ヘッドを設けてなるリフィルであって、前記転写テープの幅方向中央が前記転写ヘッドの中央を通過し得るように、前記各リールが前記転写ヘッドに対して位置付けられている請求項５又は６記載のリフィル。
【請求項８】
前記各隆起部が、軸心を前記リールの軸心に合致させて設けられ外径が前記胴部の内径よりも小さく設定された円柱状のものであり、それら各隆起部の先端中心部分に前記各リールのホイル部を軸支する支軸が突設されている請求項５、６又は７記載のリフィル。
【請求項９】
請求項５記載のリフィル及び請求項６記載のリフィルを含む複数のリフィルを用意しておき、共通の転写具本体に前記リフィルのいずれかを選択的に装着し得るようにしたことを特徴とする転写具セット。
【請求項１０】
転写テープの繰出し及び巻取りを行うための対をなすリールをリフィル本体に支持させてなるリフィルと、このリフィル及び前記リールと異なった幅寸法を有する他のリールを備えた他のリフィルのいずれかを内部に選択的に収容可能なケースを備えた転写具本体とを具備してなり、
前記各リールの両側に、当該リールよりも大きな幅寸法を有する他のリールを備えた他のリフィルを前記ケース内に代替収容し得るようにするための余白空間がそれぞれ形成されていることを特徴とする転写具。
【発明の詳細な説明】
【技術分野】
【０００１】
本発明は、転写テープを巻装保持したリールを有するリフィルを転写具本体に装着した状態で使用する転写具に関するものである。
【背景技術】
【０００２】
従来、転写テープの繰出し及び巻取りを行うための対をなすリールをリフィル本体に支持させてなるリフィルと、このリフィルを着脱可能に収容するケースを備えた転写具本体とを具備してなる転写具が種々提案されている(例えば、特許文献１参照)。
【０００３】
上記特許文献１に記載の転写具は、共通の転写具本体に対して転写テープの幅寸法が異なる複数種類のリフィルを択一的に装着することによって、所要の幅寸法にて転写物を転写し得るようになっている。
【０００４】
しかしながら、上記特許文献に記載された転写具では、リフィルを構成する各部品は転写テープの幅寸法に応じて、転写テープを巻装し得るリールの他、当該リールを保持する部品やリールを外部から被覆している転写具本体を構成する各部品など、大部分の部品が異なる形状のものとなっている。そうなると、このように共通の転写具本体に対して複数種類のリフィルを用意した、転写具セットという観点から考えれば当該転写具セットを構成する部品点数は、単一の転写具を構成する部品点数に比べて大幅に増加してしまうことになる。
【先行技術文献】
【特許文献】
【０００５】
【特許文献１】特開２００２−１７８６９４号公報
【発明の概要】
【発明が解決しようとする課題】
【０００６】
本発明は、このような不具合に着目したものであり、部品点数の増加を抑えながら、複数種類の幅寸法を有する転写テープを適用することができる転写具を提供することを目的としている。
【課題を解決するための手段】
【０００７】
本発明は、このような目的を達成するために、次のような手段を講じたものである。
【０００８】
すなわち本発明に係る転写具は、転写テープの繰出し及び巻取りを行うための対をなすリールをリフィル本体に支持させてなるリフィルと、このリフィル及び前記リールと異なった幅寸法を有する他のリールを備えた他のリフィルのいずれかを内部に選択的に収容可能なケースを備えた転写具本体とを具備してなり、前記各リールが、前記リフィル本体の支軸に支持されるホイル部と、このホイル部の外周に連続させて設けられ外周に転写テープが巻装される胴部とを備えたものであり、前記リフィル本体が、少なくとも各リールに対応する部位が扁平なリフィルベースと、このリフィルベースの一面から前記各リールのホイル部に向けて突設された対をなす隆起部とを備えたものであり、前記各隆起部の先端面で対応する各リールのホイル部をそれぞれガイドしていることを特徴とする。
【０００９】
このようなものであれば、隆起部の先端面と各リールのホイル部と、テープを巻装する胴部との相互位置を調整することによって、少なくともリフィルベースの形状を変えること無く種々のテープ幅に対応しやすくすることができる。
【００１０】
ここで、リフィルベースから突設される隆起部は円柱状のものに限られない。多角形や、一部切り欠かれた円柱状等。要するに、先端面でリールのホイル部をガイドできればよい。
【００１１】
そして、本発明の転写具が繰出用のリールから巻取用のリールに向かう前記転写テープを案内する転写ヘッドを備えてなる転写具である場合、前記転写テープの幅方向中央が前記転写ヘッドの中央を通過し得るように、前記各リールが前記転写ヘッドに対して位置づけられたものとすれば、転写テープの幅が変わっても、使用者の使用感が変わることが有効に回避される。
【００１２】
転写具自体の大きさを変えることなく幅寸法が異なる複数の転写テープに対応し易くする構成として、前記各リールにおける胴部の一部が、前記各隆起部の外周囲に被さるように配されている構成を挙げることができる。
【００１３】
転写具本体を構成する部品を転写テープの幅寸法に拘わらず共通化させやすくするための態様として、前記各隆起部における各リールの胴部に被われていない露出部分の露出幅寸法に対応した幅寸法を有する余白空間が、前記各リールの両側にそれぞれ形成されている態様を挙げることができる。
【００１４】
そして上記転写具を構成するリフィルにおいて、小さい幅寸法を有する転写テープを適用させやすいリフィルベース及びリールの構成の一例として、前記各リールが、ホイル部の外周に胴部を、該胴部のリフィルベース側の端面が前記ホイル部のリフィルベース側の側面に略面一となるように設けるようにしたものが挙げられる。
【００１５】
また共通のリフィルベースを使用しながら幅寸法が大きな転写テープを適用する場合は、前記各リールが、ホイル部の外周に胴部を、該胴部のリフィルベース側の端部が前記ホイル部のリフィルベース側の側面よりもリフィルベース方向に延出させて設けたものであり、その延出寸法が、前記隆起部の突出寸法よりも小さな値に設定されているようにすることが望ましい。
【００１６】
転写テープの幅寸法に拘わらず良好な使用感を得やすいリフィルを構成するためには、リフィルベースに、繰出用のリールから巻取用のリールに向かう転写テープを案内する転写ヘッドを設けてなるリフィルであって、前記転写テープの幅方向中央が前記転写ヘッドの中央を通過し得るように、前記各リールが前記転写ヘッドに対して位置づけられているようにすることが好ましい。
【００１７】
隆起部に胴部の幅寸法が異なるリールを適用しても好適にリールを支持させるための構成として、リール前記各隆起部が、軸心を前記リールの軸心に合致させて設けられ外径が前記胴部の内径よりも小さく設定された円柱状のものであり、それら各隆起部の先端中心部分に前記各リールのホイル部を軸支する支軸が突設されている構成を挙げることができる。ここで、隆起部は、必ずしも全体が支軸より大径である必要はない。
【００１８】
そして、幅寸法が異なる転写テープのうち所望の転写テープを選択することができ、且つ何れの幅寸法のリフィルを適用しても好適に使用し得る本発明に係る転写具セットは、上記のリフィルを含む複数のリフィルを用意しておき、共通の転写具本体に前記リフィルのいずれかを選択的に装着し得るようにしたことを特徴とする。
【００１９】
すなわち本発明に係る転写具は、転写テープの繰出し及び巻取りを行うための対をなすリールをリフィル本体に支持させてなるリフィルと、このリフィル及び前記リールと異なった幅寸法を有する他のリールを備えた他のリフィルのいずれかを内部に選択的に収容可能なケースを備えた転写具本体とを具備してなり、、前記各リールの両側に、当該リールよりも大きな幅寸法を有する他のリールを備えた他のリフィルを前記ケース内に代替収容し得るようにするための余白空間がそれぞれ形成されていることを特徴とする。
【発明の効果】
【００２０】
本発明によれば、部品点数の増加を抑えながら、複数種類の幅寸法を有する転写テープを適用することができる転写具セットを提供することができる。
【図面の簡単な説明】
【００２１】
【図１】本発明の一実施形態に係る説明図。
【図２】同実施形態に係る第二の転写具の斜視図。
【図３】同正面図。
【図４】同平面図
【図５】同左側面図。
【図６】図３に係るＡ−Ａ線断面図。
【図７】図３に係るＢ−Ｂ線断面図。
【図８】同実施形態に係るリフィルの斜視図。
【図９】同正面図。
【図１０】同左側面図。
【図１１】図９に係るＣ−Ｃ線断面図。
【図１２】同実施形態に係る第三の転写具の図６に対応した断面図。
【図１３】同第一の転写具の図６に対応した断面図。
【図１４】同図７に対応した断面図。
【図１５】同実施形態に係る大幅リフィルの図１１に対応する断面図。
【図１６】同小幅リフィルの図１１に対応する断面図。
【図１７】同実施形態の変形例に係る図１６に対応する断面図。
【図１８】同実施形態の変形例に係る図１１に対応する断面図。
【図１９】同実施形態の変形例に係る図１５に対応する断面図。
【発明を実施するための形態】
【００２２】
以下、本発明の一実施の形態について図面を参照して説明する。
【００２３】
本実施形態に係る転写具セットＳは、複数のリフィル、例えば小幅リフィル３ａ、中幅リフィル３ｂ、大幅リフィル３ｃを用意しておき、共通の転写具本体２に前記リフィルのいずれかを選択的に装着し得るようにしたものである。しかしてこの転写具セットＳにより構成される転写具としては、共通の転写具本体２に小幅リフィル３ａを装着した第一の転写具１ａと、中幅リフィル３ｂを装着した第二の転写具１ｂと、大幅リフィル３ｃを装着した第三の転写具１ｃとが挙げられる。
【００２４】
まず、第二の転写具１ｂについて図１乃至図１１に示して説明する。
【００２５】
第二の転写具１ｂは、所定の幅寸法を有した転写テープＴ、例えば１０ｍｍ幅の転写テープＴの繰出し及び巻取りを行うための対をなすリール３２、３３をリフィル本体３１に支持させてなる中幅リフィル３ｂと、この中幅リフィル３ｂを着脱可能に収容するケースを備えた共通の転写具本体２とを具備してなる。なお本実施形態では繰出し側のリールである繰出リール３２と巻取り側のリールである巻取リール３３とは互いに同形状をなしている。
【００２６】
前記各リール３２、３３は、前記リフィル本体３１の支軸３１１に支持されるホイル部３２ａ、３３ａと、このホイル部３２ａ、３３ａの外周に連続させて設けられ外周に転写テープＴが巻装される胴部３２ｂ、３３ｂと、この胴部３２ｂ、３３ｂの両側縁に設けたフランジ３２ｃ、３３ｃとを備えたものであり、合成樹脂により一体に成形されている。ホイル部３２ａ、３３ａは、円形ディスク３２ｅ，３３ｅと、この円形ディスク３２ｅ，３３ｅの中心部に設けられた軸受３２ｆ、３３ｆとを備えたものである。円形ディスク３２ｅ，３３ｅは、中心に前記軸受３２ｆ、３３ｆを一体にそなえた円板状のものでリフィル本体３１に対向する一側面における前記軸受３２ｆ、３３ｆを包囲する部位には図示しない逆転防止用のラチェット溝が放射状に形成され、本実施形態では巻取リール３３のみが逆転を防止されている。また、円形ディスク３２ｅ，３３ｅは、他側面には空転防止用のリブ３２ｇ、３３ｇが形成されている。前記軸受３２ｆ、３３ｆは、前記支軸３１１に回転可能に外装される円筒体状をなしている。前記胴部３２ｂ、３３ｂは、前記軸受３２ｆ、３３ｆよりも径が大きな円筒体状をなすもので、その一端部が前記ホイル部３２ａ、３３ａの外周に一体化されている。すなわち、前記各リールは、胴部３２ｂ、３３ｂの一部が、前記各隆起部の外周囲に被さるように配されているものである。緒述すると、胴部３２ｂ、３３ｂは、リフィルベース側の端部が前記ホイル部３２ａ、３３ａのリフィルベース側の側面よりもリフィルベース方向に延出させて設けたものであり、その延出寸法が、前記隆起部の突出寸法よりも小さな値に設定されている。フランジ３２ｃ、３３ｃは、胴部３２ｂ、３３ｂに巻装された転写テープＴの横ずれを防止するためのもので、このフランジ３２ｃ、３３ｃには転写テープＴの残量を視認するための複数の円形窓３２ｄ、３３ｄが円周方向に所定の間隔を空けて穿設されている。
【００２７】
前記リフィル本体３１は、扁平なリフィルベース５と、このリフィルベース５の一面から前記各リール３２、３３のホイル部３２ａ、３３ａに向けて突設された対をなす隆起部４と、これら隆起部４の先端中心部分に突設された支軸３１１と、前記リフィルベース５の先端付近に設けられた取付部３１２とを備えたものであり、前記取付部３１２に、転写ヘッド３４が設けられている。リフィルベース５は、各リールに対応する部位を円形状に構成した対をなす円板部分５ａとこの円板部分５ａ同士及び一方の円板部分５ａ及び前記取付部３１２に対応する部位を直線状に繋ぐ帯板部分５ｂとを有した薄板状のものである。隆起部４は、前記リフィルベース５の円板部分５ａ一面から前記各リール３２、３３のホイル部３２ａ、３３ａに向けて突設された対をなすものであり、前記各隆起部４の先端面４ａで対応する各リールのホイル部３２ａ、３３ａをそれぞれガイドしている。詳述すれば、各隆起部４は、軸心を前記リール３２、３３の軸心に合致させて設けられ外径が前記胴部３２ｂ、３３ｂの内径よりも小さく設定された円柱状のものである。これら各隆起部４の先端中心部分に前記各リールのホイル部３２ａ、３３ａを軸支する支軸３１１が突設されている。隆起部４の先端周縁部には円弧状をなす突条が形成されており、その突条により隆起部４の先端面４ａが構成されている。この隆起部４の先端面４ａは、リール３２、３３におけるホイル部３２ａ、３３ａの一側面に摺接している。具体的には前記隆起部４の先端面４ａは前記一側面におけるラチェット溝を囲う外側領域に摺接することにより前記各リール３２、３３をガイドしている。また前記隆起部４のうち巻取り用のリールである巻取リール３３に対応する隆起部４には、前記ラチェット溝に係り合い巻取リール３３の逆転を防止するための図示しないラチェット爪が設けられている。リフィルベース５の他面側には、転写具本体２の後述する第二ケース２２に係わり合って中幅リフィル３ｂ自体を位置決めするための位置決め凸部５ｃ及び位置決め凹部５ｄが設けられている。詳述すれば、位置決め凸部５ｃは、巻取リール３３に対応する隆起部４の内部に形成されている。位置決め凹部５ｄは、繰出用のリールである繰出リール３２に対応する隆起部４の内部に形成されている。これら各隆起部４の先端に設けられた支軸３１１は、前記リールの軸受３２ｆ、３３ｆに回転可能に貫装される切欠部分を有した円筒状の軸本体３１１ａと、この軸本体３１１ａの切欠部分に配設され前記軸受３２ｆ、３３ｆの端面に弾性係合して該軸受３２ｆ、３３ｆが軸本体から抜けることを防止する抜け止め爪３１１ｂとを有している。支軸３１１の先端には転写具本体２の後述する第一ケース２に当接して中幅リフィル３ｂを位置決めするための円形凸部３１１ｃ及び十字凸部３１１ｄが設けられている。すなわち、巻取リール３３側の支軸３１１には、横断面円形状の円形凸部３１１ｃが設けられている。繰出リール３２側の支軸３１１には、横断面十字形状の十字凸部３１１ｄが設けられている。取付部３１２は、リフィルベース５の一面側から突設され第一のケースに係合する第一リブ３１２ａと、他面側から突設され第二のケースに係合する第二リブ３１２ｂとを有している。第一リブ３１２ａは、横断面十字状をなしたもので、この第一リブ３１２ａに転写ヘッド３４が設けられている。具体的には、転写ヘッド３４はこの第一リブ３１２ａに一体に形成されたヘッド本体３４ａと、このヘッド本体３４ａに支持された転写ローラ３４ｂとを備えたものである。ヘッド本体３４ａは第一リブ３１２ａに一体に設けられた板状のものであり、先端側両側には転写テープＴの横ずれを防止するための対をなす概略三角経状をなしたガイド３４ｃが設けられている。転写ローラ３４ｂは、前記ガイド３４ｃの先端間に回転可能に取り付けられている。
【００２８】
続いて、第三の転写具１ｃを構成する大幅リフィル３ｃについて図１、図１２及び図１５に特に示して説明する。大幅リフィル３ｃは、幅が最も広い転写テープＴ、例えば１５ｍｍ幅の転写テープＴの繰出し及び巻取りを行うための対をなすリール３２、３３をリフィル本体３１に支持させてなる。この大幅リフィル３ｃを構成する部品であるリフィルベース５及び転写ヘッド３４は、上記中幅リフィル３ｂを構成するもの同じものを使用している。しかして大幅リフィル３ｃはリール３２、３３の具体的寸法が中幅リフィル３ｂのリール３２、３３に比べて異なる。すなわち大幅リフィル３ｃでは中幅リフィル３ｂと比較した場合、１５ｍｍ幅の転写テープＴを巻装すべく、胴部３２ｂ、３３ｂの寸法を５ｍｍ程度大きく設定してある。さらに胴部３２ｂ、３３ｂは、リフィルベース５側の端部が前記ホイル部３２ａ、３３ａのリフィルベース５側の側面よりもリフィルベース５方向に延出する寸法を大きく設定している。詳述すると、前記延出する寸法を２．５ｍｍ大きく設定している。これにより、転写テープＴの中心は、上記中幅リフィル３ｂ同様、転写ヘッド３４の中央に位置付けられている。またこの大幅リフィル３ｃは転写ヘッド３４の形状を上記中幅リフィル３ｂと同じくしている。
【００２９】
さらに、第一の転写具１ａを構成する小幅リフィル３ａについて、図１、図１３、図１４及び図１６に特に示して説明する。小幅リフィル３ａは、幅が最も狭い転写テープＴ、例えば５ｍｍ幅の転写テープＴの繰出し及び巻取りを行う為の対をなすリール３２、３３をリフィル本体３１に支持させてなる。この小幅リフィル３ａを構成する部品であるリフィルベース５は上記中幅リフィル３ｂと略同じ形状となっている。一方この小幅リフィル３ａは上記転写ヘッド３４に代えて、小幅ヘッド３４ｓを適用している。この小幅ヘッド３４ｓは、図１４に特に示すように厚み寸法が大きいガイド３４ｃを適用するとともに寸法が短い転写ローラ３４ｂを取り付けた態様をなす。これにより、５ｍｍ幅の転写テープＴの横ずれを確実に抑制し得る。さらにリール３２、３３は、中幅リフィル３ｂよりも胴部３２ｂ、３３ｂの寸法を５ｍｍ程度小さく設定している。詳述すると、前記各リール３２、３３が、ホイル部３２ａ、３３ａの外周に胴部３２ｂ、３３ｂを、該胴部３２ｂ、３３ｂのリフィルベース５側の端面が前記ホイル部３２ａ、３３ａのリフィルベース５側の側面に略面一となるように設けたものとしている。
【００３０】
以下、共通の転写具本体２について説明する。
【００３１】
転写具本体２は、上述した小幅リフィル３ａ、中幅リフィル３ｂ及び大幅リフィル３ｃの何れも選択的に収容し、第一の転写具１ａ、第二の転写具１ｂ、第３の転写具３ｃの何れかを構成し得る。換言すれば転写具本体２は、所定の幅寸法を有する転写テープを巻装するリール３２、３３を有するリフィル３ａ、３ｂ、３ｃ及び前記リール３２、３３と異なった幅寸法を有する他のリール３２、３３を備えた他のリフィル３ａ、３ｂ、３ｃのいずれかを内部に選択的に収容し得るものである。この転写具本体２は、第一ケース２１と、この第一ケース２１に回転可能に取り付けられた第二ケース２２と、第２ケース２２にスライド可能に取り付けられたキャップ２３と、第一ケース２１に取り付けられた繰出ギヤ２４と、繰出ギヤ２４にクラッチ２５を介して取り付けられた繰出端２６と、繰出ギヤ２４に噛合する中間ギヤ２７及びこの中間ギヤ２７に噛合する巻取ギヤ２８と、この巻取ギヤ２８に一体に形成される巻取端２９とを有している。上記繰出ギヤ２４、クラッチ２５、繰出端２６、中間ギヤ２７、巻取ギヤ２８及び巻取端２９により、繰出リール３２及び巻取リール３３の回転を連動させる連動機構を構成している。第一ケース２１は、何れかのリフィル３ａ、３ｂ、３ｃの背面側を覆う背面板２１ａと、側面を覆う周壁２１ｂによりリフィル３ａ、３ｂ、３ｃを略収容し得る形状をなすものであり、リフィル本体３１の取付部３１２を固定するための第一取付リブ２１ｃと、巻取ギヤ２８を支持する巻取軸２１ｄと、繰出ギヤ２４を支持する繰出軸２１ｅと、第二ケース２２に回転可能に係り合いヒンジを構成し得る第一ヒンジ部２１ｆとを有している。第二ケース２２は、リフィル３ａ、３ｂ、３ｃの正面側を覆う正面板２２ａと、この正面板２２ａの縁部から起立して第一ケース２１の周壁２１ｂに対して着脱可能に係り得る周壁２２ｂとを有した透明な樹脂からなるものである。この第二ケース２２は、リフィル本体３１の取付部３１２を固定する第二取付リブ２２ｃと、リフィル３ａ、３ｂ、３ｃ装着後の繰出リール３２及び巻取リール３３をそれぞれ押える軸止凹部２２ｅ及び軸止凸部２２ｄと、キャップ２３をスライド可能に取り付けてなるキャップ取付部２２ｇと、前記第一ヒンジ部２１ｆに係り合いヒンジを構成する第二ヒンジ部２２ｆとを有している。キャップ取付部２２ｇは、第二ヒンジ部２２ｆとは反対側の端部に形成されており、キャップ２３を取り付けるための長穴であるスリット２２ｈと、キャップ２３の正確な動作を促すための溝であるレール２２ｉとを有している。キャップ２３は、第二ケース２２にスライド可能に取り付けられたものであり、転写ヘッド３４又は小幅ヘッド３４ｓを被覆して不使用時に転写ヘッド３４又は小幅ヘッド３４ｓが周りのものに当接することを回避する被覆姿勢と、第二ケース２２に添接して転写ヘッド３４又は小幅ヘッド３４ｓを転写具本体２から表出させる使用姿勢とで位置決めし得るものとなっている。このキャップ２３は、その主体をなす湾曲板状のキャップ本体２３ａと、このキャップ本体２３ａから突設され上記スリット２２ｈにおいて幅広く形成された中間位置に先端の膨出部分を通過させて第二ケース２２側に取り付けられる膨出突起２３ｂと、上記レールに沿って摺動し得るスライダ２３ｃとを有している。繰出ギヤ２４は、繰出軸２１ｅに抜脱不能且つ回転可能に取り付けられており、繰出軸２１ｅの先端側に繰出端２６を取り付けている。詳述すると、繰出ギヤ２４は、歯車形状の部分と繰出軸２１ｅの先端側に近接した先端部分とを有し、先端部分をオーバーハング形状に形成している。そして当該オーバーハング部分に歯車部分から繰出端２６を押し付けるべく例えば金属製のスプリングを取り付けることによりクラッチ２５を構成している。また繰出端２６の形状は上記円形ディスク３２ｅ，３３ｅに設けられたリブ３２ｇに係り合い得る形状としているので、使用による繰出リール３２の回転は確実に繰出端２６に伝えられる。一方巻取ギヤ２８は巻取軸２１ｄに回転可能且つ抜脱不能に取り付けてある。この巻取ギヤ２８は歯数が適宜設定されることにより、リフィル３ａ、３ｂ、３ｃの使用期間中は常に、繰り出される転写テープＴの量よりも、多くの量の転写テープＴを巻き取り得るスピードで回転する。これにより転写中の転写テープＴの弛みが防止される。また繰出し側に対して早く巻き取ろうとすることにより発生するスピード差は上記クラッチ２５により解消される。巻取ギヤ２８に一体に成形されている巻取端２９は、上記繰出端２６同様上記円形ディスク３３ｅに設けられたリブ３３ｇに係り合い得る形状とし、繰出リール３２から繰出端２６、クラッチ２５、巻取ギヤ２８、中間ギヤ２７を介して伝えられる巻取端２９の回転は確実に巻取リール３３に伝えられる。中間ギヤ２７は、本実施形態では繰出ギヤ２４、巻取ギヤ２８に介在する位置で第一ケース２１に形成された小突起に回転可能に取り付けられており、繰出ギヤ２４、巻取ギヤ２８に噛合する歯車部分よりも第一ケース２１よりには前記歯車部分より大径の円板部分が形成されている。この円板部分が繰出ギヤ２４、巻取ギヤ２８と第一ケース２１の背面板２１ａに挟まることで、第一ケース２１からの抜脱が禁止されている。
【００３２】
このような転写具を実現することができる前述した転写具セットＳは、転写テープＴの幅寸法が異なる複数種類の、具体的には３種類のリフィル３ａ、３ｂ、３ｃを用意しておき、共通の転写具本体２に前記リフィル３ａ、３ｂ、３ｃのいずれかを選択的に装着し得るように構成する。そして図６、図１２及び図１３に示すように、何れのリフィル３ａ、３ｂを前記転写具本体２に装着すると、前記各リール３２、３３の両側に相互に略等しい幅寸法の余白空間ｓ１、ｓ２が第一の転写具１ａ及び第二の転写具１ｂにおいて形成されるようにしたものである。すなわち第一の転写具１ａ及び第二の転写具１ｂでは各リール３２、３３の両側に、当該リール３２、３３よりも大きな幅寸法を有する他のリール３２、３３を備えた大幅リフィル３ａを前記ケースたる第一ケース２１、第二ケース２２内に代替収容し得るようにするための余白空間ｓ１、ｓ２がそれぞれ形成されている。また大幅リフィル３ｃを装着した場合は各リール３２、３３の両側には動作を許容し得る程度に略隙間無く配置される。
【００３３】
このように、中幅リフィル３ｂ、小幅リフィル３ｃにおいてリール３２、３３と隆起部４により形成される余白空間ｓ１、ｓ２がリール３２、３３の両側で略等しく形成されることで、各リフィル３ａ、３ｂ、３ｃは転写テープＴの幅寸法がそれぞれ異なっていても常に中心が転写ヘッド３４の中心ｃに等しくなるようにしている。そして転写ヘッド３４が取り付けられているリフィルベース５は転写具本体２に対して何れのリフィル３ａ、３ｂ、３ｃにおいても同じ相対位置をとる。これにより、３種類のリフィル３ａ、３ｂ、３ｃの何れを使用しても転写テープＴの中心ｃと転写具本体２との相対位置は一定となる。その結果、本実施形態に係る転写具セットＳは何れのリフィル３ａ、３ｂ、３ｃを使用しても互いに使用感が変わることが無い。そのため、使用者はリフィル３ａ、３ｂ、３ｃの互いの差異に拘わらず好適に転写具１ａ、１ｂ、１ｃを使用することができる。
【００３４】
以上のような構成とすることにより、本実施形態に係る各転写具は、隆起部４の先端面４ａと各リールのホイル部３２ａ、３３ａと、テープを巻装する胴部３２ｂ、３３ｂとの相互位置を調整することによって、少なくともリフィルベース５の形状を変えること無く種々の幅寸法を有する転写テープＴに対応しやすい仕様となっている。
【００３５】
特に本実施形態では、前記転写テープＴの幅方向中央が前記転写ヘッド３４の中央を通過し得るように、前記各リールが前記転写ヘッド３４に対して位置付けられたものとすれば、転写テープＴの幅が変わっても、使用者の使用感が変わることが有効に回避されている。
【００３６】
転写具１ａ、１ｂ、１ｃ自体の大きさを変えることなく幅寸法が異なる複数の転写テープＴに対応し易くするために本実施形態では、中幅リフィル３ｂ、大幅リフィル３ｃの前記各リールにおける胴部３２ｂ、３３ｂの一部が、前記各隆起部４の外周囲に被さるように配されている構成を挙げることができる。
【００３７】
転写具本体２を構成する部品を転写テープＴの幅寸法に拘わらずを構成する部品を共通化させ部品の種類を少なくするために本実施形態では、小幅リフィル３ａ及び中幅リフィル３ｂでは、前記各隆起部４における各リールの胴部３２ｂ、３３ｂに被われていない露出部分の露出幅寸法に対応した幅寸法を有する余白空間ｓ１、ｓ２が、前記各リール３２、３３の両側にそれぞれ形成するようにしている。
【００３８】
また本実施形態では小幅リフィル３ａにおいて、小さい幅寸法を有する転写テープＴを適用させやすくするため、前記各リール３２、３３が、ホイル部３２ａ、３３ａの外周に胴部３２ｂ、３３ｂを、該胴部３２ｂ、３３ｂのリフィルベース５側の端面が前記ホイル部３２ａ、３３ａのリフィルベース５側の側面に略面一となるように設けるようにした。
【００３９】
また共通のリフィルベース５を使用しながら幅寸法が大きな転写テープＴを適用する中幅リフィル３ｂ、大幅リフィル３ｃを構成するために本実施形態では、前記各リール３２、３３が、ホイル部３２ａ、３３ａの外周に胴部３２ｂ、３３ｂを、該胴部３２ｂ、３３ｂのリフィルベース５側の端部が前記ホイル部３２ａ、３３ａのリフィルベース５側の側面よりもリフィルベース５方向に延出させて設けたものとしている。具体的にはその延出寸法が中幅リフィルでは前記隆起部４の突出寸法よりも小さな値に設定するようにし、大幅リフィル３ｃでは隆起部の突出寸法に近い寸法、具体的には相対動作を許容するに足るクリアランスが生まれる程度の寸法に設定するようにしている。
【００４０】
転写テープＴの幅寸法に拘わらず良好な使用感を得やすいリフィル３ａ、３ｂ、３ｃを構成するために本実施形態では、リフィルベース５に、繰出用のリールから巻取リール３３に向かう転写テープＴを案内する転写ヘッド３４を設けてなるリフィル３ａ、３ｂ、３ｃであって、前記転写テープＴの幅方向中央が前記転写ヘッド３４の中央を通過し得るように、前記各リールが前記転写ヘッド３４に対して位置付けられているようにしている。
【００４１】
そして、隆起部４に胴部３２ｂ、３３ｂの幅寸法が異なるリール３２、３３を適用しても好適にリール３２、３３を支持させるために本実施形態では、リール前記各隆起部４が、軸心を前記リールの軸心に合致させて設けられ外径が前記胴部３２ｂ、３３ｂの内径よりも小さく設定された円柱状のものであり、それら各隆起部４の先端中心部分に前記各リールのホイル部３２ａ、３３ａを軸支する支軸３１１が突設されている構成を適用している。
【００４２】
＜変形例＞
以下、本実施形態の変形例について図１７乃至図１９に示して説明する。なお当該変形例について上記実施形態の構成要素に相当するものについては同じ符号を付すとともに、その詳細な説明を省略する。
【００４３】
本変形例に係る転写具セットＳは、複数のリフィル、例えば小幅リフィル３ａ、中幅リフィル３ｂ、大幅リフィル３ｃを用意しておき、共通の転写具本体２に前記リフィルのいずれかを選択的に装着し得るようにしたものである。本変形例に係る転写具は、上記実施形態同様、転写具セットＳにより構成される転写具としては、共通の転写具本体２に小幅リフィル３ａを装着した図１７に示す第一の転写具１ａと、図１８に示す中幅リフィル３ｂを装着した第二の転写具１ｂと、図１９に示す大幅リフィル３ｃを装着した第三の転写具１ｃとが挙げられる。
【００４４】
しかして本変形例に係る転写具１ａ、１ｂ、１ｃは共通の転写具本体２を有するとともにリフィル３ａ、３ｂ、３ｃのうちリフィルベースを共通の形状としているが、本変形例では上記実施形態とは異なり隆起部４を具備しない平板状のリフィルベースを適用している。そして各リフィル３ａ、３ｂ、３ｃの各リール３２、３３は何れも、ホイル部３２ａ、３３ａの外周に胴部３２ｂ、３３ｂを、該胴部３２ｂ、３３ｂのリフィルベース５側の端面が前記ホイル部３２ａ、３３ａのリフィルベース５側の側面に略面一となるように設けた形状をなす。そして第一の転写具１ａ、第二の転写具１ｂでは、隆起部の代わりにそれぞれ厚み寸法が異なるスペーサ４Ａを、小幅リフィル３ａ及び中幅リフィル３ｂが有するものとしている。
【００４５】
図１７及び図１８に示すように、小幅リフィル３ａ及び中幅リフィル３ｂでは、リフィルベース５及び各リール３２、３３とは別体のスペーサ４Ａを介在させてなる。具体的にはスペーサ４Ａは例えば環状をなした樹脂製の部材である。そしてこのスペーサ４Ａの厚みが適宜調節されることにより、転写テープＴの幅寸法に対応して厚み寸法がそれぞれことなる各リール３２、３３を適用しても、大幅リフィル３ｃ同様、転写テープＴの中心は、小幅ヘッド３４ｓ又は転写ヘッド３４の中央に位置付けられている。当該変形例ではこのスペーサ４Ａはリフィル３ａ、３ｂ組立の際に支軸３１１に挿通させた後、各リール３２、３３を支軸に対して取り付ける態様をなす。
【００４６】
そして本変形例に係る第一の転写具１ａ及び第二の転写具１ｂでは、上記の通り厚み寸法がそれぞれ異なるスペーサを各リール３２、３３とリフィルベース５との間に介在させることにより、各リール３２、３３の両側には、当該リール３２、３３よりも大きな幅寸法を有する他のリール３２、３３を備えた大幅リフィル３ａを前記ケースたる第一ケース２１、第二ケース２２内に代替収容し得るようにするための余白空間ｓ１、ｓ２がそれぞれ形成されていることになる。そして勿論、大幅リフィル３ｃを装着する場合はスペーサ４Ａをリフィルベース５から取り外した状態で各リール３２、３３が取り付けられる。その結果各リール３２、３３の両側には動作を許容し得る程度に略隙間無く配置される。
【００４７】
このようなものであっても上記実施形態同様、スペーサ４Ａの先端面４ａと各リールのホイル部３２ａ、３３ａ、胴部３２ｂ、３３ｂとの相互位置を調整することによって、少なくともリフィルベース５の形状を変えること無く種々の幅寸法を有する転写テープＴに対応しやすい仕様となっている。
【００４８】
なお本変形例ではスペーサ４Ａとして環状の樹脂部材を適用したが勿論、支軸３１１に挿嵌するコイルスプリング等をリフィルベース５及び各リール３２、３３に介在するスペーサ４Ａに代えて適用しても良い。
【００４９】
以上、本発明の実施形態について説明したが、各部の具体的な構成は、上述した実施形態のみに限定されるものではなく、本発明の趣旨を逸脱しない範囲で種々変形が可能である。
【００５０】
例えば、上記実施形態並びに変形例ではリフィルベースから隆起した隆起部及びリフィルベース並びにリールとは別体のスペーサや前記コイルスプリング等を適用する態様を開示したが勿論、リールのホイル部を胴部からリフィルベースへ向けて隆起させることにより、リール側に隆起部を設けた態様としても良い。また上記実施形態並びに変形例ではテープの幅寸法が互いに異なる３種類のリフィルを用いた転写具セットを開示したが、勿論、さらに幅寸法がことなる転写テープを実現しても良い。また転写具セットを構成する各リフィルは常に同じ転写物が塗布された転写テープを適用しているとは限らない。例えば粘着剤を塗布し得るリフィルの他に修正剤を塗布し得るリフィルを用いたり、粘着剤がテープに間欠的に塗布されるパターンが互いに異なる転写テープを用いたリフィルを適用したりしたものであってもよい。そして上記実施形態並びに変形例ではクラッチを金属製のスプリングを利用して実現した態様を開示したが勿論、部品同士の係合時の摩擦を利用したものであってもよい。また繰出リールと巻取リールの連動はギヤを利用したものに限られず、繰出側、巻取側にそれぞれプーリを設け、これらプーリにベルトをすべり可能に巻き掛けた態様としても良い。その他テープの幅寸法や転写物自体の特性といった具体的な態様は上記実施形態並びに変形例のものに限定されることはなく、既存のものを含め、種々の態様のものを適用することができる。
【００５１】
その他、各部の具体的構成についても上記実施形態並びに変形例に限られるものではなく、本発明の趣旨を逸脱しない範囲で種々変形が可能である。
【産業上の利用可能性】
【００５２】
本発明は転写テープを巻装保持したリールを有するリフィルを転写具本体に装着した状態で使用する転写具として利用することができる。
【符号の説明】
【００５３】
１ａ…転写具（第一の転写具）
１ｂ…転写具（第二の転写具）
１ｃ…転写具（第三の転写具）
２…転写具本体
２１…ケース（第一ケース）
２２…ケース（第二ケース）
３ａ…リフィル（小幅リフィル）
３ｂ…リフィル（中幅リフィル）
３ｃ…リフィル（大幅リフィル）
Ｔ…転写テープ
３１…リフィル本体
３１１…支軸
３２…繰出用のリール（繰出リール）
３３…巻取用のリール（巻取リール）
３２ａ、３３ａ…ホイル部
３２ｂ、３３ｂ…胴部
３４…転写ヘッド
３４ａ…転写ヘッド（小幅ヘッド）
４…隆起部
４Ａ…隆起部（スペーサ）
４ａ…先端面
５…リフィルベース
ｓ１、ｓ２…余白空間
【図１】
2014061680.tif 000003
【図２】
2014061680.tif 000004
【図３】
2014061680.tif 000005
【図４】
2014061680.tif 000006
【図５】
2014061680.tif 000007
【図６】
2014061680.tif 000008
【図７】
2014061680.tif 000009
【図８】
2014061680.tif 000010
【図９】
2014061680.tif 000011
【図１０】
2014061680.tif 000012
【図１１】
2014061680.tif 000013
【図１２】
2014061680.tif 000014
【図１３】
2014061680.tif 000015
【図１４】
2014061680.tif 000016
【図１５】
2014061680.tif 000017
【図１６】
2014061680.tif 000018
【図１７】
2014061680.tif 000019
【図１８】
2014061680.tif 000020
【図１９】
2014061680.tif 000021